(57)【要約】【課題】  組付け性の良好なバックカバーを備えた画像形成装置を提供する。【解決手段】  装置本体に備えられた開口部１３を塞ぐバックカバー１４が、固定ネジの締結により着脱自在に装着されている。開口部１３の左右両側縁部にそれぞれ開口部１３内方に突出する係止片１７が備えられる。それら各係止片１７に上方から係脱自在に係止されるフック部１４ｅが、バックカバー１４の左右両側縁部の内面側にそれぞれ備えられている。【選択図】    図５
2007304463.tif 000002
【特許請求の範囲】
【請求項１】
装置本体に備えられた開口部を塞ぐカバープレートが、固定ネジの締結により着脱自在に装着された画像形成装置において、
前記開口部の左右両側縁部にそれぞれ開口部内方に突出する係止部が備えられ、それら各係止部に上方から係脱自在に係止されるフック部が、前記カバープレートの左右両側縁部の内面側にそれぞれ備えられていることを特徴とする画像形成装置。
【請求項２】
請求項１に記載の画像形成装置において、
前記カバープレートの左右両側縁部に、その上下方向略全長にわたって内向きに折曲形成された折曲片部がそれぞれ備えられ、それら各折曲片部にその内側端縁より前記各係止部が通過可能で、かつその溝奥部分で上方向に延びるフック溝部がそれぞれ形成され、各フック溝部の上側に位置する各折曲片部が前記フック部とされていることを特徴とする画像形成装置。
【請求項３】
請求項１または請求項２に記載の画像形成装置において、
前記カバープレートが前記装置本体の背面に配置されていることを特徴とする画像形成装置。
【請求項４】
請求項３に記載の画像形成装置において、
前記装置本体の下面に給紙カセットが配置され、該給紙カセットの背面に備えられた上向き突出状態の連結ブラケットが、固定ネジにより前記カバープレートを挿通して装置本体に着脱自在に締結されていることを特徴とする画像形成装置。
【発明の詳細な説明】
【技術分野】
【０００１】
本発明は、メンテナンス時等において組付け性の良好なカバープレートを備えた画像形成装置に関するものである。
【背景技術】
【０００２】
従来、コピー機やファクシミリ装置等の画像形成装置においては、クラッチ等の駆動関係部品は本体内部にある場合が多い。従って、これらの部品をメンテナンスするためのカバーは、一般的に装置本体の背面からアクセスするように配置されている。
【０００３】
そして、このようなカバーは装置本体に対して複数のネジ止めによって固定されており、各ネジの着脱を介してカバーを取付け取外しする構造とされていた。
【０００４】
また、装置本体の背面に、回動により開閉操作自在とされた背面カバーを備え、記録紙搬送路のジャム処理等を可能としたり、開いた状態で記録紙排紙台を兼ねたりする構造の画像形成装置もある（例えば、特許文献１参照。）。
【０００５】
【特許文献１】特開２０００−１５８９３号公報
【発明の開示】
【発明が解決しようとする課題】
【０００６】
しかしながら、従来におけるネジ止めによりカバーを着脱自在とした構造においては、装置本体の各ネジ止め部と平板状のカバープレートの各ネジ挿通孔とを、互いに位置合わせした状態でカバープレートを押し当て、その押し当て状態を一方の手で保持しながら他方の手でネジ止めを行う必要があり、手間がかかり組付け性に劣るという問題があった。
【０００７】
また、オプションカセットの連結部によりカバープレートの取外しができない装置は、カバープレートを取外す前にオプションカセットを取外す必要があった。
【０００８】
そこで、本発明は上記点に鑑み、組付け性の良好なカバープレートを備えた画像形成装置を提供することを目的とする。
【課題を解決するための手段】
【０００９】
上記課題を解決するための技術的手段は、装置本体に備えられた開口部を塞ぐカバープレートが、固定ネジの締結により着脱自在に装着された画像形成装置において、前記開口部の左右両側縁部にそれぞれ開口部内方に突出する係止部が備えられ、それら各係止部に上方から係脱自在に係止されるフック部が、前記カバープレートの左右両側縁部の内面側にそれぞれ備えられている点にある。
【００１０】
また、前記カバープレートの左右両側縁部に、その上下方向略全長にわたって内向きに折曲形成された折曲片部がそれぞれ備えられ、それら各折曲片部にその内側端縁より前記各係止部が通過可能で、かつその溝奥部分で上方向に延びるフック溝部がそれぞれ形成され、各フック溝部の上側に位置する各折曲片部が前記フック部とされている構造としてもよい。
【００１１】
さらに、前記カバープレートが前記装置本体の背面に配置されている構造としてもよい。
【００１２】
また、前記装置本体の下面に給紙カセットが配置され、該給紙カセットの背面に備えられた上向き突出状態の連結ブラケットが、固定ネジにより前記カバープレートを挿通して装置本体に着脱自在に締結されている構造としてもよい。
【発明の効果】
【００１３】
以上のように、本発明の画像形成装置によれば、開口部の左右両側縁部にそれぞれ開口部内方に突出する係止部が備えられ、それら各係止部に上方から係脱自在に係止されるフック部が、カバープレートの左右両側縁部の内面側にそれぞれ備えられている構造とされているため、カバープレートを装置本体に装着する場合には、カバープレートの左右両側縁部に備えられた各フック部を装置本体における開口部の左右両側縁部に備えられた各係止部にそれぞれ引っ掛けた係止状態で、固定ネジによる締結作業が行え、従来のようにカバープレートを手で支えて保持しておく必要がなく、組付け作業が容易となって組付け効率が向上し、組付け性が良好となる利点がある。
【００１４】
また、カバープレートを装置本体から取外す場合においては、固定ネジを全て取外した後、各フック部と各係止部との係止状態を解除すればよく、取外し作業も容易に行える利点がある。
【００１５】
さらに、カバープレートの左右両側縁部に、その上下方向略全長にわたって内向きに折曲形成された折曲片部がそれぞれ備えられ、それら各折曲片部にその内側端縁より各係止部が通過可能で、かつその溝奥部分で上方向に延びるフック溝部がそれぞれ形成され、各フック溝部の上側に位置する各折曲片部がフック部とされている構造とすれば、各折曲片部のリブ機能により、カバープレートの剛性向上が図れる利点がある。
【００１６】
また、カバープレートが装置本体の背面に配置されている構造とすれば、カバープレートの取付け取外し作業が良好に行えるため、駆動関係部品等のような内部部品のメンテナンスを効率よく行える利点がある。
【００１７】
さらに、装置本体の下面に給紙カセットが配置され、該給紙カセットの背面に備えられた上向き突出状態の連結ブラケットが、固定ネジによりカバープレートを挿通して装置本体に着脱自在に締結されている構造であっても、何ら支障なく、カバープレートの取付け取外し作業が良好に行える利点がある。
【発明を実施するための最良の形態】
【００１８】
以下、本発明の実施形態を図面に基づいて説明すると、図１は本発明の画像形成装置の一例としてのファクシミリ装置１を示している。このファクシミリ装置１は、装置本体２の上部に原稿読み取り用の読取部３が配置され、下部には読取部３で読み取られたデータを記録するための記録部４が配置されている。
【００１９】
そして、記録部４には記録装置および給紙カセットがそれぞれ上下に内装されており、給紙カセット内に載置される用紙を記録装置へ給紙して記録した後に、記録紙排出トレイへ排出するように構成されている。
【００２０】
また、読取部３の上方には、背面に配置された枢軸部５を介して開閉可能に構成される原稿押さえカバー６が配置され、該原稿押さえカバー６により読取部３上面の所定位置に載置された原稿を上方から押さえる構造とされている。そして、載置された原稿を読取部３により走査して、原稿の読み取りを行うように構成されている。
【００２１】
さらにまた、原稿押さえカバー６の一端部には、原稿を自動的に給紙する自動原稿搬送装置（ＡＤＦ装置）７が設けられており、該自動原稿搬送装置７は原稿供給トレイ８に載置された原稿を、一枚ずつピックアップして、読取部３の所定位置へ搬送し、読取部３により原稿の表面に表示された文字等からなる画像情報、いわゆる原稿内容を読み取った後に、原稿供給トレイ８の下側に配置された、即ち原稿押さえカバー６の上面に備えられた原稿排出トレイ９へ排出するように構成されている。
【００２２】
即ち、読取部３は、図示省略の読取装置を走査させて静止原稿を読み取るフラットベッドタイプのスキャナとして用いると共に、読取装置を位置固定して原稿を搬送しながら読み取りを行うシートフィードタイプのスキャナとして用いることができるように構成されている。
【００２３】
また、読取部３の正面にはファクシミリ装置１操作用のキーパネルが付設され、該キーパネルの各種操作キーを操作することにより、原稿内容の読み取りを行ったり、読み取った内容をファクシミリ送信する際の送信先の設定を行ったり、受信内容や読み取った内容の記録を行ったりするように構成されている。
【００２４】
さらに、本実施形態においては、装置本体２の下面にオプションカセットとして、下段用カセットとなる給紙カセット１０が装着された構造とされている。この下段用給紙カセット１０の背面には、左右方向に離隔して一対の連結ブラケット１１が上向き突出状態に突設されており、各連結ブラケット１１は固定ネジ１２により装置本体２に固定された構造とされている。
【００２５】
本実施形態のファクシミリ装置１は、図２にも示されるように、装置本体２は、その背面に備えられた開口部１３を塞ぐカバープレートとしてのバックカバー１４が、着脱自在に装着される構造とされている。そして、前記各連結ブラケット１１は、固定ネジ１２による連結ブラケット１１に形成されたネジ挿通孔１１ａおよびバックカバー１４に形成されたネジ挿通孔１４ａの挿通を介して、装置本体２に備えられたネジ止め部１５にそれぞれ螺合締結することにより着脱自在に固定される構造とされている。
【００２６】
なお、出荷時の組み立ての際は、装置本体２にバックカバー１４を取り付けた後に給紙カセット１０を組み付けるため、各連結ブラケット１１がバックカバー１４の組み付け障害となることはない。
【００２７】
前記バックカバー１４は、図２ないし図５に示されるように、平板状の板金等からなる金属板の左右両側縁部に、その上下方向略全長にわたって内向きに折曲形成された折曲片部１４ｂがそれぞれ備えられている。
【００２８】
また、バックカバー１４の上縁部および下縁部には、図２に示されるように、左右方向に適宜間隔を有して複数のネジ挿通孔１４ｃが形成されており、これら各ネジ挿通孔１４ｃの位置に対応する装置本体２の開口部１３の上縁部および下縁部には、それぞれネジ止め部１６が備えられている。
【００２９】
そして、連結ブラケット１１が固定される各ネジ止め部１５やバックカバー１４が固定される各ネジ止め部１６は、本実施形態においては、板金等からなる金属板の舌片部が折曲形成されると共に雌ネジ孔が形成された構造とされている。
【００３０】
また、開口部１３の左右両側縁部には、図２、図３および図５にも示されるように、適宜高さ位置に、開口部１３の内方に突出する係止部としての係止片１７がそれぞれ備えられている。これら係止片１７は、本実施形態においては、板金等からなる金属板の舌片部が内向きに折曲形成された構造とされている。
【００３１】
一方、バックカバー１４における各折曲片部１４ｂには、図４や図５にも示されるように、その内側端縁より折曲部分に至る切欠溝がそれぞれ形成されており、各切欠溝は各係止片１７がそれぞれ通過可能な溝幅を有すると共に、その溝奥部分で上方向に延びて広がる形状とされたフック溝部１４ｄを構成している。
【００３２】
そして、図５に示されるように、バックカバー１４の両側縁部の各フック溝部１４ｄを、開口部１３の両側縁部の各係止片１７に高さ位置を合わせた状態で、矢印Ｐで示すようにバックカバー１４を押し込むことにより、各係止片１７は相対的に各フック溝部１４ｄ内に案内される。その後、バックカバー１４を下方に移動させれば、図４に示されるように、バックカバー１４は各係止片１７に係脱自在に係止された状態が得られる。ここに、このフック溝部１４ｄの上側に位置する各折曲片部１４ｂによって、各係止片１７に上方から係脱自在に係止されるフック部１４ｅが構成される。
【００３３】
この各係止片１７に対するバックカバー１４の係止状態により、各ネジ止め部１６と各ネジ挿通孔１４ｃおよび各ネジ止め部１５と各ネジ挿通孔１４ａとが位置合わせされた状態となるように構成されている。
【００３４】
そして、この位置合わせされた状態で、各固定ネジ１８によるバックカバー１４の各ネジ挿通孔１４ｃの挿通を介して、装置本体２の各ネジ止め部１６にそれぞれ螺合締結することにより、装置本体２にバックカバー１４が着脱自在に固定される構造とされている。
【００３５】
本実施形態は以上のように構成されており、メンテナンス時等において背面のバックカバー１４を取外す場合には、先ず、各固定ネジ１２や各固定ネジ１８を弛緩して取外す。この場合において、装置本体２の両側縁部の各係止片１７にバックカバー１４両側の各フック部１４ｅが係止された状態であるため、各固定ネジ１２，１８の取外しに際してバックカバー１４を手で支えて保持する必要がない。そして、各固定ネジ１２，１８の取外し後は、バックカバー１４を上方に持ち上げた後、バックカバー１４を後方側に移動させれば各係止片１７と各フック部１４ｅとの係止状態が解除され、バックカバー１４を取外すことができる。
【００３６】
また、メンテナンス後等においてバックカバー１４を取付ける場合には、先ず、バックカバー１４両側のフック部１４ｅを装置本体２の開口部１３両側に位置する係止片１７にそれぞれ上方から引っ掛けて係止させる。この係止により、バックカバー１４は装置本体２に保持されるため、その後の各固定ネジ１２，１８の締結作業を行う際にバックカバー１４を手で支えて保持する必要がない。
【００３７】
また、上述した係止と同時に連結ブラケット１１と、それに対応するネジ止め部１６との間にバックカバー１４を挿入する必要があるが、バックカバー１４は上方から差し込まれるので、その際に引っ掛けと挿入とを同時に行うことが可能となる。
【００３８】
そして、この各係止片１７とバックカバー１４の各フック部１４ｅとの係止状態においては、各ネジ止め部１６と各ネジ挿通孔１４ｃおよび各ネジ止め部１５と各ネジ挿通孔１４ａとが位置合わせされた状態となっているため、各固定ネジ１２や各固定ネジ１８を各ネジ止め部１５や各ネジ止め部１６に螺合締結すればよい。
【００３９】
以上のように、バックカバー１４を装置本体２から取外す場合においては、各固定ネジ１２，１８を全て取外した後、各フック部１４ｅと各係止片１７との係止状態を解除すればよく、また、バックカバー１４を装置本体２に取付ける場合においては、各フック部１４ｅを各係止片１７に引っ掛けて係止状態とし、この状態で各固定ネジ１２，１８を締結すればよく、バックカバー１４の取付けや取外しに際して、従来のようにバックカバー１４を手で支えて保持しておく必要がなく、組付け作業や取外し作業が容易となって組付け効率や取外し効率が向上する。ここに、組付け性や取外し性が良好となる。
【００４０】
そして、バックカバー１４の取外し作業が良好に行えるため、駆動関係部品等のような内部部品のメンテナンスを効率よく行える利点がある。
【００４１】
また、バックカバー１４の両側縁部の各フック部１４ｅが、バックカバー１４の両側縁部で、その上下方向略全長にわたって折曲形成された折曲片部１４ｂによって構成されており、この両側の各折曲片部１４ｂのリブ機能によってバックカバー１４の剛性向上が図れる利点がある。
【００４２】
さらに、本実施形態においては、装置本体２の下面にさらに下段用給紙カセット１０が配置された構造とされているが、バックカバー１４を取付ける際には、バックカバー１４の下縁部を装置本体２の各ネジ止め部１５，１６と下段用給紙カセット１０の各連結ブラケット１１間に位置させた状態で、バックカバー１４の各フック部１４ｅを装置本体２の各係止片１７に上方から係止し、その後、各固定ネジ１２，１８を締結すればよい。
【００４３】
また、バックカバー１４を取外す際には、各固定ネジ１２，１８を取外した状態で、バックカバー１４を上方に持ち上げて各フック部１４ｅと各係止片１７との係合状態を解除すればよい。
【００４４】
従って、下段用給紙カセット１０が配置された状態であっても、何ら支障なく、バックカバー１４の取付け取外し作業が良好に行える利点がある。
【００４５】
また、本実施形態においては、バックカバー１４の両側部は、フック部１４ｅによる係止片１７との係止により固定状態で保持された構造であるため、両側部も固定ネジで締結する構造のものと比較して、ネジ止め作業数の削減も図れ、この点からも取付け取外し作業が良好に行えるという利点がある。
【００４６】
そして、従来のように開口部の両側部に内向きの突出するネジ止め部を備えた構造の装置においても、本実施形態のようなバックカバー１４に交換するだけで容易に転用することができる。
【００４７】
なお、前記実施形態において、バックカバー１４の各フック部１４ｅを折曲形成された折曲片部１４ｂで構成したものを示しているが、バックカバー１４の内面にフック部材を別途固定した構造等であってもよく、実施形態の形状構造に何ら限定されない。
【００４８】
また、係止部として、折曲形成された係止片１７で構成したものを示しているが、棒状等の係止部等であってもよく、実施形態の形状構造に何ら限定されない。
【００４９】
さらに、カバープレートとして、バックカバー１４に採用した構造を示しているが、側面や正面等に配置される着脱自在なカバープレートに適用する構造であってもよい。
【００５０】
また、各係止片１７や各フック部１４ｅを左右両側縁部にそれぞれ一箇所ずつ備えた構造を示しているが、複数ずつ備える構造や左右で数が異なる構造であってもよく、必要に応じて適宜決定すればよい。
【００５１】
さらに、前記実施形態においては、画像形成装置としてファクシミリ装置１に適用した構造について説明しているが、これに限定するものではなく、コピー機やスキャナ装置等その他の画像形成装置に適用することもできる。
【図面の簡単な説明】
【００５２】
【図１】本発明の実施形態にかかるファクシミリ装置の背面図である。
【図２】同バックカバーを取外した状態の背面図である。
【図３】図１における一部拡大図である。
【図４】図３のIV−IV線断面矢視図である。
【図５】組付け説明図である。
【符号の説明】
【００５３】
１  ファクシミリ装置
２  装置本体
１０  給紙カセット
１１  連結ブラケット
１１ａ  ネジ挿通孔
１３  開口部
１４  バックカバー
１４ａ  ネジ挿通孔
１４ｂ  折曲片部
１４ｃ  ネジ挿通孔
１４ｄ  フック溝部
１４ｅ  フック部
１５  ネジ止め部
１６  ネジ止め部
１７  係止片
１８  固定ネジ
【図１】
2007304463.tif 000003
【図２】
2007304463.tif 000004
【図３】
2007304463.tif 000005
【図４】
2007304463.tif 000006
【図５】
2007304463.tif 000007